(57)【要約】  【課題】同一の部材を用いて、天板付き家具の天板の形状を変更可能にし、例えば通常の会議や商談等に用いる態様と、特定箇所に講演等を行う者を配し着座者がこの講演等を行う者を向くようにする態様とに対応可能にする。  【解決手段】複数枚の天板要素１１を有する天板１と、各天板要素１１の左右両側縁部を下方から支持し奥行き方向に延伸する複数の天板受け４、幅方向に延伸し前記天板受け４間を接続する横架材５、及び左右両端部に配されて天板１を支持する１対のエンド脚体６、６を少なくとも有する支持構造体２とを具備する天板付き家具たる会議用テーブルＴにおいて、前記支持構造体２の天板受け４及び横架材５の配置を、少なくとも、前記天板１の互いに隣接する天板要素１１の使用端縁１１ａが連続した状態で該天板１を支持する通常姿勢Ｎと、前記天板１の互いに隣接する天板要素１１の使用端縁１１ａが奥行き方向に離間した状態で該天板１を支持する雁行姿勢Ｇとの間で選択可能にする。  【選択図】図３
2008220532.tif 000002
【特許請求の範囲】
【請求項１】
複数枚の天板要素を有する天板と、各天板要素の左右両側縁部を下方から支持し奥行き方向に延伸する複数の天板受け、幅方向に延伸し前記天板受け間を接続する横架材、及び左右両端部に配されて天板を支持する１対のエンド脚体を少なくとも有する支持構造体とを具備するものであって、前記支持構造体の天板受け及び横架材の配置を、少なくとも、前記天板の互いに隣接する天板要素の使用端縁が連続した状態で該天板を支持する通常姿勢と、前記天板の互いに隣接する天板要素の使用端縁が奥行き方向に離間した状態で該天板を支持する雁行姿勢との間で選択可能であることを特徴とする天板付き家具。
【請求項２】
前記天板要素の下方に前記横架材を所定間隔で複数配してなるものであって、前記雁行姿勢において、互いに隣接する天板要素下方に設けた横架材を同一直線上に配してなることを特徴とする請求項１記載の天板付き家具。
【請求項３】
前記横架材のうち少なくとも１つが、幅方向に隣接する複数の天板要素に跨る位置に設けられるとともに、これら天板要素の境界下方の前記天板受けを貫通してこれらの天板要素を同時に支持することを特徴とする請求項２記載の天板付き家具。
【請求項４】
互いに隣接する天板要素の縁部同士が対向する部位の下方に該部位を支持する中間脚体をさらに具備することを特徴とする請求項１、２又は３記載の天板付き家具。
【請求項５】
前記天板受けが１枚の天板要素の側縁部をそれぞれ支持するものであって、この天板受けを、前記中間脚体に奥行き方向位置を変更可能に取り付け可能にしていることを特徴とする請求項４記載の天板付き家具。
【請求項６】
互いに隣接する天板要素の相対する縁部をそれぞれ支持する前記天板受けを一体に設けているとともに、この天板受けを伸縮可能かつ前記横架材を奥行き方向位置を変更可能に取り付け可能にしていることを特徴とする請求項４記載の天板付き家具。
【請求項７】
天板の下方に配線挿通空間を有するとともに、天板に、前記配線挿通空間と天板上方の空間とを連通する配線挿通孔を設けていることを特徴とする請求項１、２、３、４、５又は６記載の天板付き家具。
【請求項８】
各天板要素の下方に前記横架材を奥行き方向に離間させて複数設け、これら横架材間に前記配線挿通空間を設定しているとともに、この配線挿通空間に配線保持部材を取り付け可能にしていることを特徴とする請求項７記載の天板付き家具。
【発明の詳細な説明】
【技術分野】
【０００１】
本発明は、会議用等に用いられ、天板が複数の天板要素を有するとともに、天板を支持する支持構造体の姿勢を、天板の平面視形状が略矩形状となるよう各天板要素を支持する通常姿勢と、天板の平面視形状が雁行形状となるように各天板要素を支持する雁行姿勢との間で選択可能な天板付き家具に関する。
【背景技術】
【０００２】
従来より、会議用等に用いられるべく多人数の使用に供される天板付き家具として、平面視細長い矩形状をなす天板を有し、この天板の両長辺を使用端縁とし、両使用端縁に沿ってそれぞれ複数名が着座する態様のものが広く知られている。しかし、このような態様の天板付き家具では、一方の使用端縁に着座する着座者と他方の使用端縁に着座する着座者とが相対する形で着座するので、この天板付き家具が配される会議場等において、特定箇所に講演等を行う者を配し、この講演等を行う者を向く側を正面とした場合に、着座者全員が正面に対して直角方向に着座することになる、あるいは着座者の半数が正面に背を向けるようにして着座することとなる不具合が発生しうる。この不具合を解消するための構成の一例として、矩形状ないし正方形状の領域を複数個雁行させた平面形状を有する天板を備えた天板付き家具が考えられている（例えば、特許文献１を参照）。
【特許文献１】実開昭６１―２０２２４１号公報
【発明の開示】
【発明が解決しようとする課題】
【０００３】
ところで、通常の会議や商談等では、参加者は、一方の使用端縁に着座したまま他方の使用端縁に着座した着座者に対して質問等を行う、または他方の使用端縁に着座した着座者から行われた質問に応答することが多い。すなわち、通常の会議や商談等には、前記特許文献１記載の天板付き家具より、従来の平面視矩形状の天板付き家具が適している。従って、通常の会議や商談等と、講演会等特定箇所に講演等を行う者を配する必要がある使用態様の双方に会議室等を用いる場合、従来は、前段で述べた不具合の発生を防ぐには、前記特許文献１記載の天板付き家具と、従来の平面視矩形状の天板付き家具との双方を用意する必要があった。従って、使用しない天板付き家具の収納スペースを確保する必要があった。
【０００４】
本発明は、以上に述べた課題を解決すべく構成するものである。
【課題を解決するための手段】
【０００５】
すなわち本発明に係る天板付き家具は、複数枚の天板要素を有する天板と、各天板要素の左右両側縁部を下方から支持し奥行き方向に延伸する複数の天板受け、幅方向に延伸し前記天板受け間を接続する横架材、及び左右両端部に配されて天板を支持する１対のエンド脚体を少なくとも有する支持構造体とを具備するものであって、前記支持構造体の天板受け及び横架材の配置を、少なくとも、前記天板の互いに隣接する天板要素の使用端縁が連続した状態で該天板を支持する通常姿勢と、前記天板の互いに隣接する天板要素の使用端縁が奥行き方向に離間した状態で該天板を支持する雁行姿勢との間で選択可能であることを特徴とする。
【０００６】
このようなものであれば、同一の天板と支持構造体との組み合わせ、すなわち、同一の天板要素、天板受け、横架材、及びエンド脚体の組み合わせにより、前記支持構造体の天板受け及び横架材の配置を、支持構造体の互いに隣接する天板要素の使用端縁が連続する通常姿勢と使用端縁が奥行き方向に離間する雁行姿勢との間で選択可能であるので、同一の部材を用いて従来の平面視矩形状の天板付き家具と前記特許文献１記載のような天板形状を有する天板付き家具とを実現できる。従って、従来の平面視矩形状の天板付き家具と前記特許文献１記載のような天板形状を有する天板付き家具とを両方用意する態様と比較して、使用しない天板付き家具を収納しておくためのスペースを省略しつつより柔軟な使用態様及び天板付き家具の配置態様を実現できる。
【０００７】
このような天板付き家具の雁行姿勢における天板及び横架材の奥行き方向の位置決めを容易に行えるようにするための態様として、前記天板要素の下方に前記横架材を所定間隔で複数配してなるものであって、前記雁行姿勢において、互いに隣接する天板要素下方に設けた横架材を同一直線上に配してなるものが挙げられる。
【０００８】
さらに、前記横架材のうち少なくとも１つが、幅方向に隣接する複数の天板要素に跨る位置に設けられるとともに、これら天板要素の境界下方の前記天板受けを貫通してこれらの天板要素を同時に支持するものであれば、天板要素毎に横架材を設ける態様と比較して、天板要素の境界部の下方にも横架材が存在するので、このような天板付き家具の強度を向上させることができる。
【０００９】
また、このような天板付き家具において天板形状にかかわらず天板を安定して支持できる脚体の構成として、互いに隣接する天板要素の縁部同士が対向する部位の下方に該部位を支持する中間脚体をさらに具備するものが挙げられる。
【００１０】
天板要素の中間脚体に対する相対位置を変更可能にしつつ天板要素を中間脚体に支持させるための態様として、前記天板受けが１枚の天板要素の側縁部をそれぞれ支持するものであって、この天板受けを、前記中間脚体に奥行き方向位置を変更可能に取り付け可能にしているものや、互いに隣接する天板要素の相対する縁部をそれぞれ支持する前記天板受けを一体に設けているとともに、この天板受けを伸縮可能かつ前記横架材を奥行き方向位置を変更可能に取り付け可能にしているものが挙げられる。
【００１１】
また、天板の下方に配線挿通空間を有するとともに、天板要素に、前記配線挿通空間と天板上方の空間とを連通する配線挿通孔を設けているものであれば、このような天板付き家具の天板上にパソコン等の情報機器を載置して用いる態様にも好適に供することができる。
【００１２】
特に、各天板要素の下方に前記横架材を奥行き方向に離間させて複数設け、これら横架材間に前記配線挿通空間を設定しているとともに、この配線挿通空間に配線保持部材を取り付け可能にしているものであれば、この配線保持部材に電源ケーブル、情報ケーブル等の配線や、電源コンセント、配線コンセント等のコンセント類を保持させておき、天板下方に配線が散乱することを防ぐようにできる。
【発明の効果】
【００１３】
本発明に係る天板付き家具は、複数の天板要素それぞれの側縁部を天板受けに支持させているとともに、同一の天板と支持構造体との組み合わせ、すなわち、同一の天板要素、天板受け、横架材、及びエンド脚体の組み合わせにより、前記支持構造体の天板受け及び横架材の配置を、支持構造体の互いに隣接する天板要素の使用端縁が連続する通常姿勢と使用端縁が奥行き方向に離間する雁行姿勢との間で選択可能であるので、同一の部材を用いて従来の平面視矩形状の天板付き家具と前記特許文献１記載のような天板形状を有する天板付き家具とを実現できる。従って、従来の平面視矩形状の１枚の天板を有する天板付き家具と天板の平面視形状が雁行形状である天板付き家具とを両方用意する態様と比較して、使用しない天板付き家具を収納しておくためのスペースを省略しつつより柔軟な使用態様及び天板付き家具の配置態様を実現できる。
【発明を実施するための最良の形態】
【００１４】
以下、本発明の一実施の形態について図面を参照して説明する。
【００１５】
本実施形態に係る天板付き家具たる会議用テーブルＴは、図１に全体斜視図、図２に正面図、図３及び図４に平面図、図５に分解斜視図をそれぞれ示すように、複数枚、具体的には４枚の天板要素１１を有する天板１と、各天板要素１１の左右両側縁部を支持し奥行き方向に延伸する複数の天板受け４、各天板要素１１の下方に設けられ幅方向に延伸する横架材５、左右両端部に配されて天板１を支持する１対のエンド脚体６、及び互いに隣接する天板要素１１の縁部同士が対向する部位の下方に設けられ該部位を支持する中間脚体７を有する支持構造体２と、天板１下方に設定した配線挿通空間に設けられる配線保持部材３とを具備する。なお、前記図１、図３、図４、及び図５では、配線保持部材３は省略して示している。
【００１６】
前記天板要素１１は、前記図１、図２、及び図４に示すように、平面視略矩形状をなし、対向する２辺それぞれを使用端縁１１ａとしている。また、平面視中央部には、この天板要素１１上方の空間とこの天板要素１１下方の空間とを連通する配線挿通孔１１ｘを設けている。
【００１７】
一方、前記支持構造体２は、上述したように、また、前記図１〜図５に示すように、各天板要素１１の左右両側縁部を支持し奥行き方向に延伸する複数の天板受け４、各天板要素１１の下方に設けられ幅方向に延伸する横架材５、左右両端部に配されて天板１を支持する１対のエンド脚体６、及び互いに隣接する天板要素１１の縁部同士が対向する部位の下方に設けられ該部位を支持する中間脚体７を有する。
【００１８】
前記天板受け４は、前記天板要素１１の下面の両側縁部に設けられ奥行き方向に延伸する角パイプ状の部材である。また、この天板受け４には、長手方向中央近傍に、前記横架材５を取り付けるための横架材取付部４１を奥行き方向に離間させて複数箇所、本実施形態では２箇所に設けている。
【００１９】
一方、前記横架材５は、各天板要素１１の奥行き方向中央部の下方に２本ずつ設けてなる角パイプ状の部材で、この横架材５により各天板要素１１の左右両側縁部にそれぞれ設けた前記天板受け４、４間を接続している。すなわち、この横架材５は、両端部を前記天板受け４、４に設けた横架材取付部４１、４１にそれぞれ接続している。なお、この横架材５の天板受け４に対する接続部の構成は、この種の会議用テーブルの天板下方に設けられる横架材５の天板受け４に対する接続部に一般的に用いられているものと同様であるので詳細な説明は省略する。また、各天板要素１１の下方に設けてなる２本の横架材５、５間の空間及びその直下の空間を、配線挿通空間としている。そして、前記天板要素の配線挿通孔１１ｘは、この配線挿通空間の上方に位置する。
【００２０】
前記エンド脚６は、この会議用テーブルＴの左右両端部に配され、左右両端に位置する天板要素１１のうち外側端側の端縁を下方から支持するとともに、下端にアジャスタ６１を有する。また、本実施形態では、上端近傍に前記横架材５をこのエンド脚６と一体に設けている。
【００２１】
そして、前記中間脚体７は、上述したように、互いに隣接する天板要素１１の縁部同士が対向する部位の下方に配され、該部位を支持するとともに、下端にアジャスタ（図示略）を有する。具体的には、この中間脚体７の上方に前記天板受け４を取り付けるようにしているとともに、この天板受け４を介して各天板要素１１を支持するようにしている。この中間脚体７への天板受け４の取付態様を示す分解斜視図を図６及び図７に示す。
【００２２】
しかして本実施形態では、この支持構造体２の天板受け４及び横架材５の配置を、少なくとも、前記天板１の互いに隣接する天板要素１１、１１の使用端縁１１ａ、１１ａが連続した状態で該天板１を支持する通常姿勢Ｎと、前記天板１の互いに隣接する天板要素１１、１１の使用端縁１１ａ、１１ａが奥行き方向に離間した状態で該天板１を支持する雁行姿勢Ｇとの間で選択可能である。ここで、前記図３の想像線及び前記図４には、通常姿勢Ｎを示している。一方、前記図３の実線には、雁行姿勢Ｇを示している。
【００２３】
具体的には、本実施形態では、この中間脚体７への天板受け４の取り付け姿勢を、互いに隣接する天板要素１１の使用端縁１１ａを連続させるべく２つの天板受け４の奥行き方向位置が一致する通常姿勢Ｎと、互いに隣接する天板要素１１の使用端縁１１ａを奥行き方向に離間させるべく一方の天板受け４を他方の天板受け４に対して奥行き方向に変位させる雁行姿勢Ｇとを選択可能にしている。ここで、図６には前記雁行姿勢Ｇをとらせるべく２つの天板受け４、４を中間脚体７に取り付ける態様の分解斜視図、図７には前記通常姿勢Ｎをとらせるべく２つの天板受け４、４を中間脚体７に取り付ける態様の分解斜視図をそれぞれ示している。さらに詳述すると、前記天板受け４には、雄ねじを挿通可能なねじ挿通孔４ｘを設けているとともに、前記中間脚体７には、前記ねじ挿通孔４ｘに重合させた状態でこのねじ挿通孔４ｘを挿通させた雄ねじ部材Ｂを螺合させてなる天板受け取付部たる雌ネジ孔７ｘを設けている。前記天板受けのねじ挿通孔４ｘは、所定ピッチで複数箇所、具体的には５箇所に設けている。一方、前記中間脚体７の雌ネジ孔７ｘは、所定ピッチで複数箇所、具体的には３箇所に設けている。その上で、この天板受け４の形状を前後非対称としている。前記通常姿勢Ｎでは、前記図７に示すように、２つの天板受け４の長手方向中央をこの中間脚体７の奥行き方向中央と一致させ、天板受け４ｘのねじ挿通孔４ｘのうち３つを前記中間脚体７の雌ネジ孔７ｘと重合させるようにしている。一方、前記雁行姿勢Ｇでは、前記図６に示すように、一方の天板受け４の長手方向中央をこの中間脚体７の奥行き方向中央から変位させ、天板受け４ｘのねじ挿通孔４ｘのうち３つを前記中間脚体７の雌ネジ孔７ｘと重合させるようにしている。ここで、前記雁行姿勢Ｇでは、一方の天板受け４に取り付けられた２本の横架材５のうち一方と、他方の天板受け４に取り付けられた２本の横架材５のうち一方とが同一直線上に位置するとともに、各天板受け４に取り付けられる他方の横架材５は奥行き方向に離間するようにしている。すなわち、横架材５の奥行き方向位置を合わせることにより横架材５を取り付けた状態の天板受け４の位置決めを行うことができる。なお、本実施形態では、合計３つの中間脚体７に対する天板受け４の取り付け姿勢を、中間脚体７ごとに任意に設定できる。そして、互いに隣接する天板受け４、４は、雄ねじ部材Ｂ２を介して連結するようにしている。加えて、本実施形態では、互いに隣接する天板受け４、４の変位幅を、前記雁行姿勢Ｇの場合の半分に設定することもできる。
【００２４】
また、前記配線保持部材３は、この配線保持部材３の斜視図を図８に示すように、上方に開口するチャネル状の棚部材３１と、この棚部材３１の両側端縁から上方に延伸させてなるとともに上端を天板要素１１の下面に接続させてなる支持部材３２とを有する。この支持部材３２は、前記天板要素１１の下面の前記配線挿通孔１１ｘの外側方に取り付けてなる左右１対の取付部３２１と、この取付部３２１から下方に延伸し棚部材３１の両側端縁を支持する支持部３２２とを備えている。加えて、この配線保持部材３は、前記棚部材３１の下方に幕板３３をさらに有する。
【００２５】
以下に、この会議用テーブルＴの使用の態様について述べる。
【００２６】
通常の会議や商談等、参加者が、一方の使用端縁に着座したまま他方の使用端縁に着座した着座者に対して質問等を行う、または他方の使用端縁に着座した着座者から行われた質問に応答する形態に用いる際には、支持構造体２の天板受け４及び横架材５の配置を前記図３の想像線及び前記図４に示すような通常姿勢Ｎとする。すなわち、天板受け４の中間脚体７に対する取付姿勢を全て通常姿勢Ｎとし、その上で天板受け４、４間を横架材５により接続し、これら天板受け４及び横架材５の上方に天板要素１１を載置して固定するようにしている。すなわち、この会議用テーブルＴの平面形状を、前記図３の想像線及び前記図４に示すような矩形状とするようにしている。
【００２７】
一方、特定箇所に講演等を行う者を配し、着座者がこの講演等を行う者を向くようにする態様では、支持構造体２の天板受け４及び横架材５の配置を前記図３の実線に示すような雁行姿勢Ｇとする。すなわち、天板受け４の中間脚体７に対する取付姿勢を全て雁行姿勢Ｇとし、その上で天板受け４、４間を横架材５により接続し、これら天板受け４及び横架材５の上方に天板要素１１を載置して固定するようにしている。すなわち、この会議用テーブルＴの平面形状を、前記図３の実線に示すような雁行形状とするようにしている。
【００２８】
本実施形態に係る会議用テーブルＴは、以上に述べたように、複数枚の天板要素１１を有する天板１と、各天板要素１１の左右両側縁部を支持し奥行き方向に延伸する複数の天板受け４、各天板要素１１の下方に設けられ幅方向に延伸する横架材５、及び左右両端部に配されて天板１１を支持する１対のエンド脚体６を備えた支持構造体２とを具備するものであって、互いに隣接する天板要素１１の相対する縁部をそれぞれ支持する前記天板受け４を、互いに隣接する天板要素１１の使用端縁１１ａが連続する通常態様Ｎと互いに隣接する天板要素１１の使用端縁１１ａが奥行き方向に離間する雁行態様Ｇとの間で選択可能であるので、同一の天板要素１１、天板受け４、横架材５、及びエンド脚体６の組み合わせにより、前記天板受け４の配置を、前記通常態様Ｎと前記雁行態様Ｇとの間で選択することで、同一の部材を用いて従来の平面視矩形状の天板付き家具と前記特許文献１記載のような天板形状を有する天板付き家具とを実現できる。従って、従来の平面視矩形状の天板付き家具と前記特許文献１記載のような天板形状を有する天板付き家具とを両方用意する態様と比較して、使用しない天板付き家具を収納しておくためのスペースを省略しつつより柔軟な使用態様及び天板付き家具の配置態様を実現できる。
【００２９】
また、互いに隣接する天板要素１１の縁部同士が対向する部位の下方に設けられ該部位を支持する中間脚体７をさらに具備するので、天板形状にかかわらず前記エンド脚体６及びこの中間脚体７により天板１を安定して支持できる。
【００３０】
さらに、前記天板受け４が１枚の天板要素１１の側縁部をそれぞれ支持するとともに、この天板受け４を、前記中間脚体７に奥行き方向位置を変更可能に取り付け可能にしている、すなわち前記通常姿勢Ｎと前記雁行姿勢Ｇとの間で取付姿勢を変更可能にしているので、この天板受け４に支持させてなる天板要素１１の中間脚体７に対する相対位置を変更可能にしつつ天板要素１１を中間脚体７に支持させることができる。
【００３１】
また、天板１の下方に配線挿通空間を有するとともに、天板要素１１に、前記配線挿通空間と天板１上方の空間とを連通する配線挿通孔１１ｘを設けているので、このような会議用テーブルＴの天板１上にパソコン等の情報機器を載置して用いる態様にも好適に供することができる。
【００３２】
さらに、各天板要素１１の下方に前記横架材５を奥行き方向に離間させて複数、本実施形態では２本設け、これら横架材５、５間に前記配線挿通空間を設定しているとともに、前記配線挿通空間内に配線保持部材３を取り付け可能にしているので、この配線保持部材３に電源ケーブル、情報ケーブル等の配線や、電源コンセント、配線コンセント等のコンセント類を保持させておき、天板１下方に配線が散乱することを防ぐようにできる。
【００３３】
加えて、本実施形態では、中間脚体７に対する天板受け４の取り付け姿勢を、中間脚体７ごとに任意に設定できるので、上述した通常姿勢Ｎ及び雁行姿勢Ｇ以外にも、例えば４枚の天板要素１１のうち両端に位置する２枚の天板要素１１の使用端縁１１ａ、及び中央に位置する２枚の天板要素１１の使用端縁１１ａをそれぞれ同一直線状に配しつつ、中央に位置する２枚の天板要素１１の使用端縁１１ａと両端に位置する２枚の天板要素１１の内側端縁とにより区画させる凹部を天板１が有する姿勢をとらせることもできる。
【００３４】
なお、本発明は以上に述べた実施形態に限られない。
【００３５】
例えば、前記天板要素の下方に前記横架材を複数配してなる態様を採用するとともに、前記横架材のうち少なくとも１つが、幅方向に隣接する複数の天板要素に跨る位置に設けられ前記天板受けを貫通してこれらの天板要素を同時に支持する構成を採用してもよい。すなわち、横架材の長手寸法を各天板要素の幅寸法の２倍に略等しくするとともに、前記天板受けにこの横架材と係合させてなる凹部、例えばこの横架材を下方から挿入可能な切り込みやこの横架材を貫通させてなる貫通孔、を設け、この横架材の少なくとも両端部を天板受けに止着するようにしてもよい。また、この態様では、横架材の長手方向中間部も天板受けに止着するようにしてもよい。このような構成であれば、天板要素毎に横架材を設ける態様と比較して、天板要素の境界部の下方にも横架材が存在するので、このような天板付き家具の強度を向上させることができる。
【００３６】
また、互いに隣接する天板要素の相対する縁部をそれぞれ支持する前記天板受けを一体に設けるとともに、この天板受けを伸縮可能かつ前記横架材を奥行き方向位置を変更可能に取り付け可能にしている構成を採用してもよい。
【００３７】
さらに、配線保持部材は、天板要素に直接取り付けるのでなく、横架材に取り付けるようにしてももちろんよい。
【００３８】
加えて、各天板要素の下方には、前記横架材を３本以上設けるようにしてもよい。この場合、長手寸法が天板要素の幅寸法の３倍以上の整数倍である横架材を用意し、この横架材に互いに隣接する３枚以上の天板要素を支持させるようにしてもよい。
【００３９】
さらに、中間脚体は省略してもよく、また、雁行姿勢において隣接する天板要素下方に設けられる横架材の奥行き方向位置は、必ずしも同一直線状でなくてもよい。
【００４０】
そして、本発明に係る構成は、会議用テーブルに限らず、多人数用机等、天板付き家具全般に採用してもよい。
【００４１】
その他、本発明の趣旨を逸脱しない範囲で種々変形が可能である。
【図面の簡単な説明】
【００４２】
【図１】本発明の一実施形態に係る会議用テーブルを示す全体斜視図。
【図２】同実施形態に係る会議用テーブルを示す正面図。
【図３】同実施形態に係る会議用テーブルを示す平面図。
【図４】同実施形態に係る会議用テーブルを示す平面図。
【図５】同実施形態に係る会議用テーブルを示す分解斜視図。
【図６】同実施形態に係る会議用テーブルの中間脚体に対する天板受けの取付態様を示す分解斜視図。
【図７】同実施形態に係る会議用テーブルの中間脚体に対する天板受けの取付態様を示す分解斜視図。
【図８】同実施形態に係る会議用テーブルの配線保持部材を示す斜視図。
【符号の説明】
【００４３】
Ｔ…会議用テーブル（天板付き家具）
１…天板
１１…天板要素
２…支持構造体
４…天板受け
５…横架材
６…エンド脚体
７…中間脚体
Ｎ…通常姿勢
Ｇ…雁行姿勢
【図１】
2008220532.tif 000003
【図２】
2008220532.tif 000004
【図３】
2008220532.tif 000005
【図４】
2008220532.tif 000006
【図５】
2008220532.tif 000007
【図６】
2008220532.tif 000008
【図７】
2008220532.tif 000009
【図８】
2008220532.tif 000010